(57)【特許請求の範囲】
【請求項１】
構造体と外壁部からなる建物の開口部上方に取り付けられ、シャッターケースのサイド部分がブラケットとサイドカバーの２部材から構成されている建築用シャッターにおいて、
前記シャッターケースは、上面ケース板と正面ケース板を有し、
前記サイドカバーは、互いに連結可能に形成された躯体側部材と屋外側部材との２部材で構成し、前記躯体側部材の見込み方向の幅は前記外壁部の厚さよりも幅広に形成すると共に、前記屋外側部材は正面視において正面ケース板の断面形状に沿う形状で正面ケース板の端部を被うように取付られており、
サイドカバーの屋外側部材を取り外すことで正面ケース板が取り外し可能となること特徴とする建築用シャッターのサイドカバー構造。
【請求項２】
請求項１において、前記躯体側部材は見込み方向の幅をガイドレールの出幅寸法より幅広に形成し、前記屋外側部材は正面視において上下対称に形成したことを特徴とする建築用シャッターのサイドカバー構造。
【発明の詳細な説明】
【０００１】
【発明の属する技術分野】
本発明はマンション、住宅等の建築物の開口部に取り付けられる建築用シャッターのサイドカバー構造に関するものである。
【０００２】
【従来の技術】
従来例を図７〜図９に基づいて説明する。建築用シャッターの各ブラケットＡの外側には、シャッターケースＢの各ケース板の端部の保護、意匠性及び水密性の向上を目的としてサイドカバーＣが取り付けられていた。このサイドカバーＣは図７に示すように樹脂で形成された一体ものであり、シャッターケースＢの断面形状とほぼ同一形状の本体面Ｃ１と、本体面の周縁の上辺・前辺・下辺・後辺のうち上辺・前辺・下辺を本体面Ｃ１に対して垂直方向に突出させた上部側辺Ｃ２・前部側辺Ｃ３及び下部側辺Ｃ４から構成されており、シャッターケースＣの左右側端部に各ケース板の端部を被うようにして取り付けられていた。またガイドレールＤはほぼブラケットに沿って取り付けられるためサイドカバーＣをブラケットＡに固定するときにはガイドレールＤが通る部分をサイドカバーに形成する必要があった。このため下部側辺Ｃ４にはガイドレールＤを通すための切り欠き部Ｃ５が形成されている。各ケース板のうち下面ケース板Ｂ１は、施工後のメンテナンス時にサイドカバーＣを外すことなく取り外しができるようになっていて、その開口部よりシャッターケースＢ内の部品の保守・点検等を行っていた。
【０００３】
一方、現場ではシャッターが取り付けられる時には建築物はまだ壁仕上げがされていない状態であり、シャッターが取り付けられた後に壁仕上げが行われることとなる。そのような場合には図８に示すように外壁の仕上げがサイドカバーＣにかかった状態で壁仕上げがされていた。
【０００４】
【発明が解決しようとする課題】
しかし従来のサイドカバーＣは一体ものであり、上記のような状態ではサイドカバーＣと外壁Ｅの間はシール材Ｅ１によりシーリング加工が施されているためサイドカバーＣを取り外すことができず、またサイドカバーＣはその機能上各ケース板を覆って取り付けられているため、前面ケース板Ｂ２を取り外してシャッターケースＢ内部の部品のメンテナンス・修理を行うことができなかった。そのため下面ケース板Ｂ１のみ取り外して作業を行わなくてはならなかったので作業が非常に複雑になってしまっていた。さらに巻き取りシャフトＦを交換するような修理においては下面ケース板Ｂ１のみ開口するものでは実質作業ができず、やはり前面ケース板Ｂ２を取り外す必要があった。また従来のサイドカバーＣは樹脂で形成された一体ものあり、さらにサイドカバーＣの下部側辺Ｃ４はガイドレールＥが通るための切り欠き部Ｃ５を形成しなければならないため、サイドカバーＣを正面視において上下対称にすることができず、左右兼用のものを作ることができなかった。
【０００５】
【課題を解決するための手段】
本発明は、上記の如き実状に鑑み、これらの課題を解決することを目的として創作されたものであって、構造体と外壁部からなる建物の開口部上方に取り付けられ、シャッターケースのサイド部分がブラケットとサイドカバーの２部材から構成されている建築用シャッターにおいて、前記シャッターケースは、上面ケース板と正面ケース板を有し、前記サイドカバーは、互いに連結可能に形成された躯体側部材と屋外側部材との２部材で構成し、前記躯体側部材の見込み方向の幅は前記外壁部の厚さよりも幅広に形成すると共に、前記屋外側部材は正面視において正面ケース板の断面形状に沿う形状で正面ケース板の端部を被うように取付られており、サイドカバーの屋外側部材を取り外すことで正面ケース板が取り外し可能となること特徴としたものである。またこのものにおいて前記躯体側部材は見込み方向の幅をガイドレールの出幅寸法より幅広に形成し、前記屋外側部材は正面視において上下対称に形成したものである。
【０００６】
【作用】
請求項１の発明ではサイドカバーを躯体側部材と屋外側部材との２部材で構成し、さらに躯体側部材の幅寸法を壁面に取り付けられる外壁の厚さよりも幅広に形成されているため、施工後に外壁の仕上げがサイドカバーにかかって仕上げられていてもサイドカバーの屋外側部材を取り外すことができる。また請求項２の発明では、サイドカバーの屋外側部材を上下対称に形成しているため屋外側部材に左右勝手が発生しない。
【０００７】
【発明の実施の形態】
次に本発明の実施形態について図面に基づいて説明する。図１は本発明に係る建築用シャッターの正面図で図面において１は金属製のスラットを上下に連結して構成されるシャッターカーテンであって、シャッターカーテン１の上端は左右一対のブラケット２を介して建物開口部上方に架設された巻き取りシャフト３に装着されていて、巻き取りシャフト３の正逆回転により建物開口部の左右両側に立設したガイドレール４にガイドされながらシャッターカーテン１が繰り出し、巻き取られ開口部を開閉する構成になっている。尚、５はブラケットの外側から被せるようにして取り付けられるサイドカバーであって該サイドカバー５は樹脂製でありシャッター上回り部分を被うシャッターケース６の意匠性と水密性の向上を目的として取り付けられている。
【０００８】
図５に示すようにシャッターケース６は左右ブラケット２、２と該左右ブラケット２，２間に取り付けられシャッターケース６の骨組みとなるアングル６ａと、シャッターケース６の上面の一部を被う上面ケース板６ｂとシャッターケースの上面の一部と正面と下面を被う正面ケース板６ｃからなり、各ケース板は左右ブラケット２，２及びアングル６ａにネジ等で固定される。
【０００９】
本発明のサイドカバー５は屋外側部材５１と躯体側部材５２との２部材から構成されており、屋外側部材５１と躯体側部材５２は互いに連結可能に形成されている。屋外側部材５１は図２（ｄ）に示すように正面視において正面ケース板６ｃの断面形状に沿った形状となっており、シャッターケース６の長さ方向左右端部に上面ケース板の一部と正面ケース板の端部を被うように取り付けられる。屋外側部材５１は本体面５１ａと、本体面の周縁を構成する上辺・前辺・下辺・後辺のうち上辺・前辺・下辺を本体面に対して垂直延出させて形成した上部側片５１ｂ・前部側片５１ｃ・下部側片５１ｄと、本体面５１ａと上部・下部側片５１ｂ、５１ｄのそれぞれより一段段落ちして形成される嵌合片５１ｅとから構成されている。また屋外側部材５１は図２（ｄ）の中心線Ｘ−Ｘを境として上下対称に形成されている。５１ｆは本体面５１ａより各側辺と同方向で垂直に突出したブラケット当接片であって、このブラケット当接片５１ｆがブラケット２に当たることで本体面５１ａとブラケット２とがブラケット当接片５１ｆの高さ分の間隔をもって取り付けられる。尚、図に示す通りブラケット当接片５１ｆの高さは屋外側部材５１の各側片よりも小さく設定されている。
【００１０】
一方、躯体側部材５２は側面視長方形状の本体面５２ａと、本体面５２ａの周縁を構成する上辺・左辺・下辺・右辺のうち上辺・下辺を本体面５２ａに対して垂直延出させて形成した上部側片５２ｂ・下部側片５２ｃとで構成されている。本体面５２ａの左辺・右辺には前記屋外側部材５１に連結するための被嵌合部５２ｄが形成されていて、被嵌合部５２ｄに前記嵌合片５１ｅをはめ込むことにより屋外側部材５１と躯体側部材５２とが連結される。また、躯体側部材５２は図３（ｅ）の中心線Ｙ−Ｙを境として左右対称に形成されている。屋外側部材５１同様躯体側部材５２にも前述の目的のために本体面５２ａにブラケット当接片５２ｅが突出している。
【００１１】
前記上部側片５２ｂは前記屋外側部材５１の各側片と同じ高さに設定されており一方、下部側片５２ｃの突出量は各ブラケット突出片５１ｆ、５２ｅと同じ高さに設定されている。これはガイドレール４の側面がブラケット２面に対してほぼ面一の状態で取り付けられるためで、その部分に相当する下部側片５２ｃを本体面５２ａとブラケット２の間隔すなわちブラケット当接片５２ｅに高さにして、ガイドレール４の通る空間を確保しているためである。
【００１２】
躯体側部材５２の見込み方向の幅Ｌ１は建物構造体７の外側を被う外壁部８の幅Ｌ２よりも少なくとも幅広に設定されるが、本実施の形態ではそれよりも幅広なガイドレール４の出幅寸法Ｌ３よりわずかに幅広に設定されている。屋外側部材５１・躯体側部材５２共に本体面５１ａ、５２ａに形成されたネジ孔からネジでブラケット２に固定される。
【００１３】
以上のように構成された屋外側部材５１と躯体側部材５２との２部材からなるサイドカバー５はシャッターケース６の両端部の左右ブラケット２，２に固定される。その後、構造体７の外側に壁仕上げが施されて図４に示すような状態でシャッターが建築物開口部に収まる。従来のサイドカバーＣは一体ものであったためサイドカバーＣにかかって壁仕上げがされるような場合には取り外すことができなかったが、サイドカバー５を躯体側部材５２と屋外側部材５１との２部材で構成し、躯体側部材５２の見込み方向の幅Ｌ１を外壁部８（構造体と壁仕上げ面で囲まれる部分）の幅Ｌ２よりも幅広に形成しているので、躯体側部材５２と屋外側部材５１との連結位置が外壁部８の内部に埋まることがなく常時外側に露出する形になるため、屋外側部材５１が取り外し可能でありその結果、壁仕上げ後においてもシャッターケース６の正面ケース板６ｃを取り外すことが可能である
【００１４】
さらに、前述の如く躯体側部材５２は見込み方向の幅をガイドレール４の出幅寸法よりわずかに幅広としたため、ガイドレール４を通すための切り欠き部を屋外側部５１材に形成する必要がなく、その結果、屋外側部材５１を側面視において上下対称に形成することができ、また、躯体側部材５２の下部側片５２ｃを全幅にわたり一定量切り欠くことでガイドレール４が通る空間を形成しているので躯体側部材５２を左右対称に形成できる。このため躯体側部材５２は一方のブラケット２に取り付けたものとは左右を逆にして他方のブラケット２に取り付け可能であり、また屋外側部材５１は一方のブラケット２に取り付けたものとは上下を逆にして他方をブラケット２に取り付け可能であるため、左右両方の各部材を作る必要がない。
【００１５】
【効果】
本発明は以上のように構成されているため、請求項１の発明では外壁がサイドカバーにかかって仕上げられていてもサイドカバーの屋外側部材が取り外し可能で、シャッターケースを被っているケース板のうち正面部分を被う正面ケース板を取り外すことができるため、メンテナンス時には従来のように無理やりサイドカバーを押し広げてケース板を取り外す必要はなく、また正面ケース板を取り外して大きく開口させることができるので、下面ケースのみ取り外せるものよりシャッターケース内の部品のメンテナンス作業を容易に行うことができる。
【００１６】
請求項２の発明ではサイドカバーの屋外側部材を左右兼用のものとすることができる。
【図面の簡単な説明】
【図１】本発明に係る建築用シャッターの正面図
【図２】（ａ）屋外側部材の平面図
（ｂ）同背面図
（ｃ）同側面図
（ｄ）同正面図
【図３】（ａ）躯体側部材の平面図
（ｂ）同背面図
（ｃ）同底面図
（ｄ）同側面図
（ｅ）同正面図
【図４】本発明に係る建築用シャッターの横断面図
【図５】本発明に係る建築用シャッターの分解斜視図
【図６】本発明に係る建築用シャッターの斜視図
【図７】従来のサイドカバーの斜視図
【図８】従来の窓シャッターの横断面図
【図９】従来の窓シャッターの縦断面図
【符号の説明】
２        ブラケット
４        ガイドレール
５        サイドカバー
５１      屋外側部材
５１ａ    本体面
５１ｅ    嵌合片
５２      躯体側部材
５２ａ    本体面
５２ｂ    上部側片
５２ｃ    下部側片
５２ｄ    被嵌合部
８        外壁（部）
【図１】
0003622109.tif 000002
【図２】
0003622109.tif 000003
【図３】
0003622109.tif 000004
【図４】
0003622109.tif 000005
【図５】
0003622109.tif 000006
【図６】
0003622109.tif 000007
【図７】
0003622109.tif 000008
【図８】
0003622109.tif 000009
【図９】
0003622109.tif 000010